(57)【特許請求の範囲】
【請求項１】
圧縮機（１）への通電をＯＮ／ＯＦＦする電磁開閉器（２）と、
冷房暖房を切り替える４方弁（３）と、
前記電磁開閉器にＯＮ／ＯＦＦ信号を出力するとともに、前記４方弁にＯＮ／ＯＦＦ信号を出力し、それぞれをＯＮ／ＯＦＦする制御部（４）と、
前記圧縮機の電流を検出する電流検出部（７）と、を有し、
前記制御部は、前記電流検出部からの出力が所定値以上かつ第１の所定時間以上継続したことを検出した場合、前記電磁開閉器をＯＦＦさせる第１の制御を行う一方、前記電磁開閉器へＯＮ信号を出力した時、または前記４方弁へＯＮ／ＯＦＦ信号を出力した時から第２の所定時間は前記第１の制御を行わないことを特徴とする空気調和機の制御装置。
【請求項２】
前記制御部は、前記電磁開閉器を一旦ＯＦＦさせた後、第３の所定時間ＯＮさせないことを特徴とする、請求項１に記載の空気調和機の制御装置。
【請求項３】
前記制御部は、電源投入直後の第３の所定時間は前記電磁開閉器をＯＮさせないことを特徴とする、請求項１に記載の空気調和機の制御装置。
【請求項４】
圧縮機（１）への通電を制御する、空気調和機の制御装置であって、
前記通電をＯＮするＯＮ状態と、前記通電をＯＦＦするＯＦＦ状態に切り替わる開閉手段（２）と、
前記空気調和機における冷媒の循環経路を切り替える冷媒経路切り替え手段（３）と、
前記通電される交流電流（Ｓ５）のレベルが所定値以上の場合、過電流信号（Ｓ７）を生成する電流検出手段（７）と、
所定の第１の条件により、前記開閉手段をＯＮ状態とＯＦＦ状態との間で切り替え制御する一方、所定の第２の条件により、前記冷媒経路切り替え手段を制御する制御手段（４）と、を有し、
前記制御手段は、前記過電流信号が所定の過電流期間継続すると、前記開閉手段をＯＦＦ状態にする第１の制御を行い、前記開閉手段がＯＮ状態にされた時点から第１の所定期間（Ｔ）内、または前記冷媒経路切り替え手段が切り替わった時点から第２の所定期間内に、前記過電流信号が生成されても前記開閉手段のＯＮ状態を継続させる、前記第１の制御とは異なる第２の制御を行うことを特徴とする、空気調和機の制御装置。
【請求項５】
前記制御手段は、前記開閉手段をＯＦＦ状態にする時点から第３の所定期間、前記ＯＦＦ状態を継続させることを特徴とする、請求項４に記載の空気調和機の制御装置。
【発明の詳細な説明】
【技術分野】
【０００１】
本発明は、空気調和機の制御装置において、圧縮機の破損を防止する技術に関し、さらに詳しくは、瞬時停電復帰後の圧縮機の逆転運転の防止技術に関するものである。
【背景技術】
【０００２】
単相電源駆動の単相誘導電動機を内蔵する空気調和機の圧縮機では，電源電圧を主巻線に印加するとともに、コンデンサを電源電圧に直列に挿入し、位相を進ませた電圧を補助巻線に印加することで、回転磁界を形成する。その回転磁界は、三相交流電源による三相誘導電動機よりも不完全であり、発生する回転力も不均一である。一般に、冷媒の圧縮過程において停電が発生した場合、圧縮された冷媒からの反力が圧縮機を逆転させはじめる。短時間の停電後に供給電源が復帰した場合、圧縮機の単相誘導電動機は、回転磁界が不完全であるため正規方向への回転力が弱く、圧縮機は逆転した状態で運転を続ける。この場合、圧縮機のコイル温度が異常に上昇し、破損するということがあった。
【０００３】
従来、停電時における圧縮機の逆転現象を防止する構成として、例えば、特許文献１に記載されている。この従来例では、供給電源の電源状態を監視し、供給電源遮断時に制御装置へリセット信号を出力する電源監視装置を備え、制御装置はリセット信号の入力により圧縮機を停止させ逆転運転を防止している。
【０００４】
図４は、特許文献１に記載された従来の空気調和機の制御装置のブロック図である。本制御装置は、圧縮機１ｐを制御する制御装置４ｐ、電源部５ｐ、電源変換装置６ｐ、及び電源監視装置８ｐで構成されている。
【０００５】
電源変換装置６ｐは、電源部５ｐの電源を直流に変換し、電圧を安定化処理して、制御装置４ｐへ直流電源を供給するもので、変圧器６１ｐ、整流・平滑回路６２ｐ、および定電圧回路６３ｐで構成されている。
【０００６】
電源監視装置８ｐは、電源部５ｐの電源状態を監視し、電源部５ｐの停電発生時に制御装置４ｐへリセット信号βを出力するものであり、パルス生成回路８１ｐおよびパルス監視回路８２ｐで構成されている。
【０００７】
パルス生成回路８１ｐは、電源部５ｐの電源周波数に同期したパルスを発生させる回路であり、例えば、フォトカプラを使用して、電源部５ｐの電源周波数の１／２の周期のパルスを発生させる。停電時には、電源部５ｐの電源が遮断されて、パルス生成回路８１ｐからのパルスの信号が途絶える。
【０００８】
パルス監視回路８２ｐは、パルス生成回路８１ｐから発生するパルスを監視することによって、電源部５ｐの電源状態を監視し、停電が発生してパルス生成回路８１ｐからパルスが発生しなくなった場合に、制御装置４ｐへリセット信号βを出力する。
【０００９】
数１０ｍｓから数１００ｍｓのような短時間、および数１００ｍｓ以上のような長時間の停電において、圧縮機１ｐは、停電発生と同時に電源部５ｐからの電源の供給が遮断される。冷媒圧縮過程で停電が発生した場合には、圧縮された冷媒から正規回転方向とは逆方向の反力を受けて逆転する。また、この長時間の停電中には、電源監視装置８ｐのパルス監視回路８２ｐが、制御装置４ｐへリセット信号βを出力して、制御装置４ｐがリセットされている。このリセットにより、制御装置４ｐから圧縮機１ｐへ出力される運転信号αが消滅し、圧縮機１ｐの逆転は継続せず停止する。さらに、電源監視装置８ｐからのリセット信号β出力の後も停電が継続する場合、電源変換装置６ｐの定電圧回路６３ｐから制御装置４ｐへ供給される電源が遮断され、空気調和機が停止する。
【００１０】
つまり、電源変換装置６ｐの定電圧回路６３ｐから電源が供給され続けている場合、制御装置４ｐを強制的にリセットして圧縮機１ｐを停止させるので、逆転現象を防止できる。
【特許文献１】特開平１１−２１０６３８号公報
【発明の開示】
【発明が解決しようとする課題】
【００１１】
しかしながら、上述した従来の構成では、数１０ｍｓ以下の極短時間の停電の場合、圧縮機１ｐは、停電発生と同時に電源部５ｐからの電源の供給が遮断される。冷媒圧縮過程で停電が発生した場合には、圧縮された冷媒から正規回転方向とは逆方向の反力を受ける。逆転を開始する前で、慣性力によって正規方向に回転している場合は逆転することはないが、タイミングと冷凍サイクルによっては極短時間でも逆転を開始することが確認されている。一方、電源監視装置８ｐのパルス生成回路８１ｐは、電源周波数の１／２以下の時間には反応しないため、パルス監視回路８２ｐから制御装置４ｐへリセット信号βが出力されず、制御装置４ｐは圧縮機１ｐを停止させない。従って、この状態で電源部５ｐの電源が復帰した時には、圧縮機１ｐは、逆転運転を継続する可能性があった。
本発明は、上述した従来の課題を解決するもので、数１０ｍｓ以下の極短時間の停電の場合においても、圧縮機の逆転運転を確実に防止し、圧縮機の破損を防ぐことを目的とする。
【課題を解決するための手段】
【００１２】
上述した従来の課題を解決するために、本発明の空気調和機の制御装置は、圧縮機への通電をＯＮ／ＯＦＦする電磁開閉器と、冷房暖房を切り替える４方弁と、前記電磁開閉器にＯＮ／ＯＦＦ信号を出力するとともに、前記４方弁にＯＮ／ＯＦＦ信号を出力し、それぞれをＯＮ／ＯＦＦする制御部と、前記圧縮機の電流を検出する電流検出部と、を有し、前記制御部は、前記電流検出部からの出力が所定値以上かつ第１の所定時間以上継続したことを検出した場合、前記電磁開閉器をＯＦＦさせる第１の制御を行う一方、前記電磁開閉器へＯＮ信号を出力した時、または前記４方弁へＯＮ／ＯＦＦ信号を出力した時から第２の所定時間は前記第１の制御を行わないことを特徴としている。
【００１３】
これによる作用は以下の通りである。供給電源が停電した場合、圧縮機は、停電発生と同時に電源の供給が遮断される。冷媒圧縮過程で停電が発生した場合には、圧縮された冷媒から正規回転方向とは逆方向の反力を受けて逆転する。しかし、停電復帰時に流れる圧縮機の起動電流を電流検出部により検出し、所定値以上の電流が所定時間以上継続したことを検出した場合、電磁開閉器をＯＦＦする。これにより、圧縮機への通電を遮断することで、逆転を防止できる。
【００１４】
また、圧縮機の起動時、暖房運転時の除霜制御による４方弁の切り替え時にも、圧縮機には起動電流が流れる。しかし、制御部が起動および切り替え信号を出力後、所定時間は電流検出部からの出力を検出しないようにすることで、停電復帰時の起動電流と区別でき、誤動作を防止できる。
【００１５】
また、本発明の空気調和機の制御装置は、電磁開閉器を一旦ＯＦＦさせた後、所定時間ＯＮさせないことを特徴としている。
【００１６】
これにより、停電により圧縮機への通電を遮断した後、停電復帰した場合、圧縮機内の圧力がバランスするまで圧縮機の再起動をしないよう制御することにより、再起動時は安定して起動できる。
【００１７】
また、本発明の空気調和機の制御装置は、電源投入直後の第３の所定時間は前記電磁開閉器をＯＮさせないことを特徴としている。
【００１８】
また、本発明の空気調和機の制御装置は、圧縮機への通電を制御する、空気調和機の制御装置であって、前記通電をＯＮするＯＮ状態と、前記通電をＯＦＦするＯＦＦ状態に切り替わる開閉手段と、前記空気調和機における冷媒の循環経路を切り替える冷媒経路切り替え手段と、前記通電される交流電流のレベルが所定値以上の場合、過電流信号を生成する電流検出手段と、所定の第１の条件により、前記開閉手段をＯＮ状態とＯＦＦ状態との間で切り替え制御する一方、所定の第２の条件により、前記冷媒経路切り替え手段を制御する制御手段と、を有し、前記制御手段は、前記過電流信号が所定の過電流期間継続すると、前記開閉手段をＯＦＦ状態にする第１の制御を行い、前記開閉手段がＯＮ状態にされた時点から第１の所定期間内、または前記冷媒経路切り替え手段が切り替わった時点から第２の所定期間内に、前記過電流信号が生成されても前記開閉手段のＯＮ状態を継続させる、前記第１の制御とは異なる第２の制御を行うことを特徴としている。
【００１９】
さらに、本発明の空気調和機の制御装置は、前記開閉手段をＯＦＦ状態にする時点から第３の所定期間、前記ＯＦＦ状態を継続させることを特徴としている。
【発明の効果】
【００２０】
本発明の空気調和機の制御装置は、供給電源が停電した場合、数１０ｍｓ以下の極短時間の停電の場合においても、圧縮機の逆転運転を確実に防止し、圧縮機の破損を防ぐことができる。
【発明を実施するための最良の形態】
【００２１】
第１の観点によれば、圧縮機への通電をＯＮ／ＯＦＦする電磁開閉器と、冷房暖房を切り替える４方弁と、前記電磁開閉器にＯＮ／ＯＦＦ信号を出力するとともに、前記４方弁にＯＮ／ＯＦＦ信号を出力し、それぞれをＯＮ／ＯＦＦする制御部と、前記圧縮機の電流を検出する電流検出部と、を有し、前記制御部は、前記電流検出部からの出力が所定値以上かつ第１の所定時間以上継続したことを検出した場合、前記電磁開閉器をＯＦＦさせる第１の制御を行う一方、前記電磁開閉器へＯＮ信号を出力した時、または前記４方弁へＯＮ／ＯＦＦ信号を出力した時から第２の所定時間は前記第１の制御を行わないようにしている。このような構成により、供給電源の停電復帰時に、圧縮機に流れる起動電流を電流検出部により検出し、所定値以上の電流が所定時間以上継続したことを検出した場合、電磁開閉器をＯＦＦする。これにより、圧縮機への通電を遮断することで、逆転を防止できる。
【００２２】
また、圧縮機の起動時、暖房運転時の除霜制御による４方弁の切り替え時にも、圧縮機には起動電流が流れる。しかし、制御部が起動および切り替え信号を出力後、所定時間は電流検出部からの出力を検出しないようにすることで、停電復帰時の起動電流と区別でき、誤動作を防止できる。
【００２３】
第２の観点によれば、特に、第１の観点の電磁開閉器の制御を一旦ＯＦＦさせた後、所定時間ＯＮさせないようにしている。このような構成により、停電により圧縮機への通電を遮断した後、停電復帰した場合、圧縮機内の圧力がバランスするまで圧縮機の再起動をしないよう制御することにより、再起動時は安定して起動できる。
【００２４】
第３の観点によれば、特に、第１の観点の電磁開閉器の制御を、電源投入直後の所定時間は電磁開閉器をＯＮさせないようにしている。このような構成により、ある程度長時間の停電の後、主電源を再投入した時に、電磁開閉器も同時にＯＮすることにより、いきなり圧縮機が起動してロックしてしまうといった不具合を防止することができる。
【００２５】
第４の観点によれば、圧縮機への通電を制御する、空気調和機の制御装置であって、前記通電をＯＮするＯＮ状態と、前記通電をＯＦＦするＯＦＦ状態に切り替わる開閉手段と、前記空気調和機における冷媒の循環経路を切り替える冷媒経路切り替え手段と、前記通電される交流電流のレベルが所定値以上の場合、過電流信号を生成する電流検出手段と、所定の第１の条件により、前記開閉手段をＯＮ状態とＯＦＦ状態との間で切り替え制御する一方、所定の第２の条件により、前記冷媒経路切り替え手段を制御する制御手段と、を有し、前記制御手段は、前記過電流信号が所定の過電流期間継続すると、前記開閉手段をＯＦＦ状態にする第１の制御を行い、前記開閉手段がＯＮ状態にされた時点から第１の所定期間内、または前記冷媒経路切り替え手段が切り替わった時点から第２の所定期間内に、前記過電流信号が生成されても前記開閉手段のＯＮ状態を継続させる、前記第１の制御とは異なる第２の制御を行うようにしている。
【００２６】
第５の観点によれば、前記開閉手段をＯＦＦ状態にする時点から第３の所定期間、前記ＯＦＦ状態を継続させるようにしている。
【００２７】
以下、本発明の実施の形態について、図面を参照しながら説明する。なお、以下において記述される数字は、すべて本発明を具体的に説明するために例示したものであり、本発明は例示された数字に制限されない。また、ハイレベルやローレベルで表される論理レベルについても、本発明を具体的に説明するために例示したものであり、本発明は例示された論理レベルに制限されない。
（実施の形態１）
【００２８】
図１は、本発明の実施の形態１における空気調和機の制御装置のブロック図である。
【００２９】
実施の形態１における空気調和機の制御装置は、交流電源５から圧縮機１への通電を制御する装置であり、以下の構成要素を有する。１つ目は、圧縮機１への通電をＯＮするＯＮ状態と、通電をＯＦＦするＯＦＦ状態に切り替わる電磁開閉器２である。２つ目は、空気調和機における冷媒の循環経路を切り替える４方弁３である。３つ目は、通電される交流電流Ｓ５のレベルが所定値以上の場合、過電流信号Ｓ７を生成する電流検出部７である。４つ目は、所定の第１の条件により、電磁開閉器２をＯＮ状態とＯＦＦ状態との間で切り替え制御する一方、所定の第２の条件により、４方弁３を制御する制御部４である。また、制御部４は、過電流信号Ｓ７が所定の過電流期間継続すると、電磁開閉器２をＯＦＦ状態にする第１の制御を行い、電磁開閉器２がＯＮ状態にされた時点から所定期間Ｔ内、または４方弁３が切り替わった時点から所定期間内に、過電流信号Ｓ７が生成されても電磁開閉器２のＯＮ状態を継続させる、第１の制御とは異なる第２の制御を行う。５つ目は、交流電源５からの交流を直流に変換し制御部４に供給する電源変換部６である。
【００３０】
電磁開閉器２は、電磁的に通電をＯＮ／ＯＦＦするが、電磁的でなく半導体スイッチ等で構成してもよい。この意味で電磁開閉器２は、単に開閉器とも呼ばれる。４方弁３は、冷房状態、暖房状態、除霜状態、除湿状態、さらにはこれらの状態の組合せ状態などに応じて、冷媒の循環経路を切り替える弁であり、４方弁だけでなく冷媒の循環経路を切り替える構成であれば他の構成であってよい。この意味で４方弁３は、冷媒経路切り替え部とも呼ばれる。
【００３１】
電源変換部６は、交流電源５の交流電源を直流に変換し、電圧を安定化処理して、制御部４へ直流電源電圧Ｓ６を供給するもので、変圧器６１、整流・平滑回路６２、および定電圧回路６３で構成されている。変圧器６１は、交流電源５の交流電源を、例えば２４Ｖの低電圧交流電源に変換する。また、整流・平滑回路６２は、変圧器６１からの低電圧交流電源をブリッジダイオード等で全波整流した後、電解コンデンサで平滑して、１２Ｖの直流電源とする。また、定電圧回路６３は、整流・平滑回路６２からの直流電源を電源レギュレータ等によって安定化した後、例えば５Ｖの低電圧を示す直流電源電圧Ｓ６とする。電源変換部６は、平滑用電解コンデンサにより、停電が発生した場合でも数百ｍｓの期間であれば、制御部４へ直流電源電圧Ｓ６を供給することができる。このように、停電が発生した時点を始点とし、直流電源電圧Ｓ６が急激に低下する時点を終点とする期間を、停電時電源供給期間と呼ぶ。
【００３２】
電流検出部７は、交流電源５から圧縮機１へ供給される交流電流Ｓ５を検出し、所定値以上のレベルの場合、過電流信号Ｓ７を生成して制御部４へ出力するものであり、電流検出器７１、整流・平滑回路７２、および電流比較回路７３で構成されている。
【００３３】
電流検出器７１は、例えばカレントトランスで構成され、交流電流Ｓ５に比例する交流出力を生成する。整流・平滑回路７２は、この交流出力を整流・平滑することにより、電流検出信号Ｓ７２を生成する。電流比較回路７３は、例えばコンパレータ回路で構成され、電流検出信号Ｓ７２を過電流に相当する過電流所定値Ｉ１と比較し、過電流所定値Ｉ１以上の場合、過電流信号Ｓ７を生成する。すなわち、過電流信号Ｓ７はハイレベルとなる。電流検出部７は、この過電流信号Ｓ７を制御部４に出力する。
【００３４】
運転状態設定部９は、空気調和機の運転状態を設定し、運転状態信号Ｓ９を生成する。運転状態設定部９は、例えばリモートコントロール操作部およびリモートコントロール受信部を含み、運転状態信号Ｓ９に、設定温度、送風の強弱／向き、電源のＯＮ／ＯＦＦ、およびタイマー開始／停止時間などの情報を設定する。また、運転状態設定部９は、運転状態信号Ｓ９に、暖房状態、冷房状態、除霜状態、および除湿状態などの運転モード情報も設定する。さらに、運転状態設定部９は、温度計を含み、運転状態信号Ｓ９に、室内温度などの測定温度情報を設定する。
【００３５】
制御部４は、マイクロコンピュータを備えており、前述のごとく電磁開閉器２と４方弁３を制御するだけではなく、空気調和機全体を制御するものである。また、電流検出部７の電流比較回路７３の機能は、制御部４のマイクロコンピュータで実現することもできる。制御部４は、過電流信号Ｓ７と運転状態信号Ｓ９に基づいて、電磁開閉器２をＯＮ状態とＯＦＦ状態との間で切り替え制御する電磁開閉器制御信号Ｓ４Ａを生成する。制御部４は、運転状態信号Ｓ９に含まれる上述した各種情報の中で、特に、設定温度、測定温度情報、電源のＯＮ／ＯＦＦ、およびタイマー開始／停止時間などに基づいて、圧縮機１への通電をＯＮ／ＯＦＦすべきタイミングを計算する。この計算では、消費電力、設定温度への収束時間、および設定温度に対する許容誤差範囲などの観点も考慮される。これらの条件により、制御部４は、電磁開閉器制御信号Ｓ４Ａをハイレベルまたはローレベルにし、電磁開閉器２をそれぞれＯＮ状態またはＯＦＦ状態に制御する。
【００３６】
さらに、制御部４は、運転状態信号Ｓ９に基づいて、４方弁３を制御する４方弁制御信号Ｓ４Ｂを生成する。制御部４は、運転状態信号Ｓ９に含まれる上述した各種情報の中で、特に、暖房状態、冷房状態、除霜状態、および除湿状態などの運転モード情報などに基づいて、空気調和機における冷媒の循環経路パターンを判断する。これらの条件により、制御部４は、４方弁制御信号Ｓ４Ｂを設定し、４方弁３を制御する。
【００３７】
以上のように構成された空気調和機の制御装置について、以下にその動作を説明する。停電が発生した場合、圧縮機１は、停電発生と同時に交流電源５からの電源の供給が遮断される。冷媒圧縮過程で停電が発生した場合には、圧縮された冷媒から正規回転方向とは逆方向の反力を受けて、圧縮機１は逆転する。電源変換部６が制御部４へ直流電源電圧Ｓ６を供給可能な停電時電源供給期間より、停電の期間が長くなった場合は、制御部４が直流電源電圧Ｓ６の遮断によりリセットされる。制御部４のリセットにより電磁開閉器制御信号Ｓ４Ａはローレベルとなり、電磁開閉器２はＯＦＦされ、圧縮機１は逆転していても停止する。すなわち、制御部４は、停電期間が停電時電源供給期間以上の場合、過電流信号Ｓ７および運転状態信号Ｓ９の値とは無関係に、電磁開閉器２をＯＦＦする。
【００３８】
電源変換部６が制御部４へ直流電源電圧Ｓ６を供給可能な停電時供給可能期間より、停電の期間が短い場合は、停電復帰時に制御部４は動作状態にある。停電復帰時の圧縮機１の状態は、停電のタイミング、停電期間により異なる。圧縮された冷媒から正規回転方向とは逆方向の反力を受けて逆転する状態、慣性力で正転する状態、停止する状態のいずれかの状態になる。いずれの場合も、停電復帰時に電磁開閉器制御信号Ｓ４Ａはハイレベルとなり、圧縮機１を再起動させるため、圧縮機１のモータロック電流に相当する起動電流が流れる。この起動電流は通常の運転電流の数倍の値となるため、適当な過電流値を設定することにより過電流の有無を判定することができる。また、圧縮機１は通電を遮断されると、通常、数ｍｓで停止するが、停電の時間が極短期間であったとしても圧縮機１の起動電流は流れるため、極短期間の停電に対しても検出可能である。
【００３９】
図２は、停電時のタイムチャートで、圧縮機１への交流電流Ｓ５の波形、交流電流Ｓ５に応じた整流・平滑回路７２出力の電流検出信号Ｓ７２の波形、および電流比較回路７３出力の過電流信号Ｓ７の波形を示している。時点ｔ０から時点ｔ１の期間内は通常に運転しており、運転電流Ｓ５Ａに比例した電流検出信号Ｓ７２が整流・平滑回路７２より出力されている。電流比較回路７３は、電流検出信号Ｓ７２を過電流所定値Ｉ１と比較し、過電流信号Ｓ７をローレベル（正常出力）にする。時点ｔ１のタイミングで停電が発生し時点ｔ２で復帰した場合、復帰時の時点ｔ２のタイミングで起動電流Ｓ５Ｂが流れ始め、圧縮機１の状態により数ｍｓから数秒の間継続する。すなわちほぼ時点ｔ２から、交流電流Ｓ５のレベルは所定値以上となり、電流検出信号Ｓ７２は過電流所定値Ｉ１以上となる。これにより、過電流信号Ｓ７は、ハイレベルとなり、電流検出部７は、過電流信号Ｓ７を生成する。その後、時点ｔ３のタイミングで、制御部４は過電流信号Ｓ７の出力を受けて電磁開閉器制御信号Ｓ４Ａをローレベルにし、電磁開閉器２をＯＦＦ制御する。すなわち、圧縮機１への通電は遮断される。過電流信号Ｓ７が生成されてから、制御部４が電磁開閉器２をＯＦＦするまでの期間、すなわちほぼ時点ｔ２から時点ｔ３までの期間は、過電流期間とも呼ばれ、外来ノイズ等で過電流信号Ｓ７が瞬時的にハイレベルになっても、誤動作しない範囲で短い期間に設定すれば良い。別途、誤動作対策が取られているなら、過電流期間は大略ゼロであってもよい。
【００４０】
制御部４は電磁開閉器２を一旦ＯＦＦさせた場合、内部タイマーにより所定期間ＯＮしないように制御される。ＯＮを禁止する期間は、圧縮機１内の圧力が十分にバランスするように設定される。これにより、圧縮機１の再起動時には、安定して起動できる。
【００４１】
ここで、圧縮機１が起動、または再起動される場合の動作を説明する。
【００４２】
図３は通常起動時のタイムチャートで、制御部４からの電磁開閉器制御信号Ｓ４Ａがハイレベルになり、電磁開閉器２がＯＮした場合の波形を示している。時点ｔ４で電磁開閉器２がＯＮすると、圧縮機１へは起動電流Ｓ５Ｂが流れる。電流検出信号Ｓ７２は過電流所定値Ｉ１以上となり、過電流信号Ｓ７はハイレベルとなる。圧縮機１内の圧力がバランスしている状態では、起動電流Ｓ５Ｂが流れる時間は数秒以下である。起動電流Ｓ５Ｂが終了し、電流検出信号Ｓ７２が時点ｔ５で過電流所定値Ｉ１以下になるとすれば、過電流信号Ｓ７がハイレベルとなる期間は、ほぼ時点ｔ４から時点ｔ５までの期間となる。電流検出部７は、ほぼ時点ｔ４からの過電流期間（図２におけるほぼ時点ｔ２から時点ｔ３までの期間）、過電流信号Ｓ７を生成する。過電流期間は、通常、時点ｔ４から時点ｔ５までの期間より短い。ここで、制御部４は、電磁開閉器制御信号Ｓ４Ａをハイレベルにして電磁開閉器２をＯＮする時点ｔ４から所定期間Ｔの間、過電流信号Ｓ７に応答しないよう構成される。このため、図３のようにＴ＞（ｔ５−ｔ４）であれば、通常の起動時に電磁開閉器２をＯＦＦし圧縮機１への通電を遮断することはなく、誤動作を起こすことはない。
【００４３】
また、暖房運転時に除霜制御により４方弁３が切り替えられた場合も、冷凍サイクルの負荷が急変するため、圧縮機１への電流には起動電流Ｓ５Ｂに相当する電流が流れる。この場合、４方弁３への４方弁制御信号Ｓ４Ｂは、制御部４から出力される。この場合も、制御部４は、４方弁３への４方弁制御信号Ｓ４Ｂ出力から所定期間、過電流信号Ｓ７に応答しないよう構成される。このため、電流検出部７から過電流信号Ｓ７が出力されても、電磁開閉器２をＯＦＦし圧縮機１への通電を遮断することはなく、誤動作を起こすことはない。
【００４４】
以上、実施の形態におけるこれまでの説明は、すべて本発明を具体化した一例であって、本発明はこれらの例に限定されず、本発明の技術を用いて当業者が容易に構成可能な種々の例に展開可能である。
【産業上の利用可能性】
【００４５】
以上のように、本発明にかかる本発明の空気調和機の制御装置は、供給電源が停電した場合、数１０ｍｓ以下のような極短時間の停電の場合においても、圧縮機１の逆転運転を確実に防止し、圧縮機１の破損を防ぐことができるので、冷蔵庫やショーケース等の冷蔵・冷凍機器にも適用することが出来る。
【図面の簡単な説明】
【００４６】
【図１】本発明の実施の形態１における空気調和機の制御装置のブロック図
【図２】本発明の実施の形態１における停電時のタイムチャート
【図３】本発明の実施の形態１における通常起動時のタイムチャート
【図４】従来の空気調和機の制御装置のブロック図
【符号の説明】
【００４７】
１  圧縮機
２  電磁開閉器
３  ４方弁
４  制御部
５  交流電源
６  電源変換部
７  電流検出部
９  運転状態設定部
【図１】
0004762993.tif 000002
【図２】
0004762993.tif 000003
【図３】
0004762993.tif 000004
【図４】
0004762993.tif 000005